(57)【要約】【課題】保存スペースの圧迫を抑制できる加熱調理器の梱包部材を提供する。【解決手段】コンロの天板３は、センサ、電装ユニット等を搭載し、それら電装部品を冷却する冷却空気が流通するセンサケースを下部に有する。センサケースに冷却空気を流通する左流入口４１、右流入口４２、排出口４３は、天板３の下方に突出する。天板３を収容する天板パッド１５０は、底板部１６１に穴部６１３〜６１５を有し、左流入口４１、右流入口４２、排出口４３を底板部１６１の下方に露出させる。付属品パッド１２０の底板部１２１において、五徳収容部１２９は、天板パッド１５０の穴部６１５の形成位置と上下方向において重なる位置に形成される。故に、五徳収容部１２９において排出口４３を五徳２１の環内に配置でき、干渉を避けることができる。【選択図】図８
2020196468.tif 000002
【特許請求の範囲】
【請求項１】
上部が開口し、複数のコンロバーナが固定される筐体と、
前記筐体の前記上部に設けられ、前記開口を閉塞する天板と、
前記天板上に配置され、前記コンロバーナの上に調理容器を支持する複数の環状の五徳と、
前記天板の裏面側に配置される電装部品と、
前記天板の裏面側に固定され、前記電装部品を内包する流路、および前記筐体を介して前記流路内を流れる空気が流通するため、前記天板の下方へ向けて前記天板の下端部よりも突出する流通口を有する冷却部と
を備えた加熱調理器を梱包する梱包部材であって、
前記筐体を内部且つ下部の収容領域に収容する梱包本部材と、
複数の前記コンロバーナがそれぞれ配置される複数の配置穴が開口され、且つ上面側に複数の前記五徳を保持する複数の保持部が前記配置穴を避けて形成される第一平面部を有し、前記梱包本部材の内部で前記収容領域の上側に収納される下部収納部材と、
上面側に前記天板を配置する天板領域と、前記天板領域に前記天板を配置した場合に前記流通口が下面側に貫通する貫通穴とが形成された第二平面部を有し、前記梱包本部材の内部で前記下部収納部材の上に重ねて配置される上部収納部材と
を備え、
前記梱包本部材の内部で前記下部収納部材の上に前記上部収納部材が重ねて配置された場合に、前記保持部のうち少なくとも一つは、前記貫通穴の形成位置に対応する位置に設けられたこと
を特徴とする加熱調理器の梱包部材。
【発明の詳細な説明】
【技術分野】
【０００１】
本発明は加熱調理器の梱包部材に関する。
【背景技術】
【０００２】
コンロ等の加熱調理器は、出荷時等に梱包部材によって梱包される（例えば特許文献１参照）。特許文献１のドロップインコンロの包装緩衝材は段ボール製であり、外箱、位置決め部材、プレートパッド、部品パッド等を備える。外箱は、その下部にドロップインコンロ本体を収容する。位置決め部材は、ドロップインコンロ本体の上方に載置される。プレートパッドは位置決め部材の上面凹部に載置され、その天面に、ドロップインコンロのトッププレートを載置する。部品パッドはプレートパッドの上方に載置され、五徳等の付属部品を収納する。
【０００３】
天板の下面側に下方へ突出する突出部を有するコンロがある。このような天板をプレートパッド上に載置する場合、突出部がプレートパッドを突き抜けて、プレートパッドの下側に収納されるコンロの本体に干渉するのを避けるためには、プレートパッドの厚みを、突出部の突出長さよりも厚くする必要がある。
【先行技術文献】
【特許文献】
【０００４】
【特許文献１】特開２０１３−１６９９８０号公報
【発明の概要】
【発明が解決しようとする課題】
【０００５】
しかしながら、プレートパッドの厚みを従来よりも厚くすることで、外箱の高さが従来よりも高くなり、製品を保存する倉庫の保存スペースを圧迫したり、配送コストが高くなったりするという問題があった。
【０００６】
本発明の目的は、保存スペースの圧迫を抑制できる加熱調理器の梱包部材を提供することである。
【課題を解決するための手段】
【０００７】
本発明の請求項１に係る発明の加熱調理器の梱包部材は、上部が開口し、複数のコンロバーナが固定される筐体と、前記筐体の前記上部に設けられ、前記開口を閉塞する天板と、前記天板上に配置され、前記コンロバーナの上に調理容器を支持する複数の環状の五徳と、前記天板の裏面側に配置される電装部品と、前記天板の裏面側に固定され、前記電装部品を内包する流路、および前記筐体を介して前記流路内を流れる空気が流通するため、前記天板の下方へ向けて前記天板の下端部よりも突出する流通口を有する冷却部とを備えた加熱調理器を梱包する梱包部材であって、前記筐体を内部且つ下部の収容領域に収容する梱包本部材と、複数の前記コンロバーナがそれぞれ配置される複数の配置穴が開口され、且つ上面側に複数の前記五徳を保持する複数の保持部が前記配置穴を避けて形成される第一平面部を有し、前記梱包本部材の内部で前記収容領域の上側に収納される下部収納部材と、上面側に前記天板を配置する天板領域と、前記天板領域に前記天板を配置した場合に前記流通口が下面側に貫通する貫通穴とが形成された第二平面部を有し、前記梱包本部材の内部で前記下部収納部材の上に重ねて配置される上部収納部材とを備え、前記梱包本部材の内部で前記下部収納部材の上に前記上部収納部材が重ねて配置された場合に、前記保持部のうち少なくとも一つは、前記貫通穴の形成位置に対応する位置に設けられたことを特徴とする。
【発明の効果】
【０００８】
本発明の請求項１に係る発明の加熱調理器の梱包部材によれば、下部収納部材は梱包本部材の内部で筐体の上に配置されるため、第一平面部における五徳の保持部の形成位置は、コンロバーナと干渉しないように、配置穴を避けて設けられる。更に、上部収納部材を下部収納部材の上に重ねて配置した場合、天板の流通口は、貫通穴を介して下部収納部材の第一平面部上に位置する。本態様では、下部収納部材の保持部の一つを、貫通穴の形成位置に設けた。保持部に保持する五徳は環状を呈する。故に、流通口を五徳の環内に配置することができる。これにより、五徳との干渉を避けて流通口が第一平面部から離れるように上部収納部材の厚みを厚く形成する必要がない。よって、梱包本部材の高さをより高くする必要がないので、製品を保存する倉庫の保存スペースを圧迫したり、配送コストが高くなったりすることがない。また、第一平面部の限られたスペースにおいて効率よく、五徳の保持部とコンロバーナの配置穴を形成することができる。
【図面の簡単な説明】
【０００９】
【図１】コンロ１の筐体２と天板３の斜視図である。
【図２】梱包部材１００とコンロ１の分解斜視図である。
【図３】付属品パッド１２０の斜視図である。
【図４】付属品パッド１２０の平面図である。
【図５】天板パッド１５０の斜視図である。
【図６】天板パッド１５０の平面図である。
【図７】天板３を収容する天板パッド１５０の斜視図である。
【図８】天板３を収容した天板パッド１５０および付属品パッド１２０の斜視図である。
【発明を実施するための形態】
【００１０】
以下、本発明の実施形態を説明する。以下に記載される装置の構造は、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１１】
図１、図２を参照し、コンロ１およびコンロ１の梱包部材１００の概略構成を説明する。まず、コンロ１について説明する。コンロ１は、ビルトインコンロである。コンロ１は、筐体２と天板３を備える。天板３はガラス製である。天板３の上面左側には、筐体２の上部左側に設けられる左バーナ４が露出されるバーナ開口４Ａが形成され、天板３の上面右側には、筐体２の上部右側に設けられる右バーナ５が露出されるバーナ開口５Ａが形成される。また、天板３の上面後側にはグリル用の排気口７が設けられる。天板３の下面には、一部透過性を有する非透過性の印刷が施される。
【００１２】
天板３上において、バーナ開口４Ａの前側には、左バーナ４を操作する為の左操作部１１が設けられ、バーナ開口５Ａの前側には、右バーナ５を操作する為の右操作部１２が設けられる。左操作部１１、右操作部１２には、左バーナ４、右バーナ５の点火、消火、および火力の増減等の操作を指先のタッチで受け付ける複数の受付部と、タイマ時間等を表示する表示部と、使用状態に応じて点灯または点滅する発光表示部等が設けられる。バーナ開口４Ａとバーナ開口５Ａに挟まれる中央部の前側には、グリル用発光表示部１３が設けられる。グリル用発光表示部１３には、グリル使用中に点灯する表示部が設けられる。左操作部１１、右操作部１２、およびグリル用発光表示部１３において、受付部は、ユーザによるタッチ操作の位置を示すために天板３に印刷されたボタン、マークまたは記号等である。
【００１３】
左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７の下方には、複数（例えば９個）のセンサ２０が並んで配置される。センサ２０は、上方に位置する異物までの距離を測定可能な一般的な測距センサであり、例えば赤外線センサである。
【００１４】
天板３下面の前側部には、上面に設けられた左操作部１１および右操作部１２に対応するように、電装ユニット２５が接着剤または両面テープ等で貼着される。その電装ユニット２５と、複数のセンサ２０を下方から内包するように、センサケース４０が天板３の下面側に設けられる。センサケース４０は樹脂製で、左右方向に延びる筒状のケース体である。センサケース４０の左端部には、下方へ向けて筒状に延び、センサケース４０内に空気を取り入れる左流入口４１が設けられる。センサケース４０の右端部には、下方へ向けて筒状に延び、センサケース４０内に空気を取り入れる右流入口４２が設けられる。センサケース４０の中央部には、下方へ向けて筒状に延び、センサケース４０内の空気を排出する排出口４３が設けられる。センサケース４０は、左流入口４１および右流入口４２から流入して排出口４３から排出される冷却空気の流路を形成する。
【００１５】
天板３下面の前側部で、センサケース４０の前側、且つ左右両側には、下方向に延びる左固定板部４５および右固定板部４６が設けられる。左固定板部４５および右固定板部４６はそれぞれ、正面視上下方向に長い略矩形板状に形成される。左固定板部４５の下端部には、固定穴４５Ａが設けられ、右固定板部４６の下端部には、固定穴４６Ａが設けられる。天板３が筐体２に組み付けられるとき、左固定板部４５および右固定板部４６は、筐体２の前面に固定された左フロントパネル３０および右フロントパネル３５（後述）に対して、ネジ（図示略）で固定される。
【００１６】
筐体２は上部が開口し、該開口部分に天板３が固定される。筐体２の前面の中央部には、グリル扉８が手前側に引き出し可能に設けられる。グリル扉８は、筐体２内部に設けられるグリル庫１０の前側の開口を開閉する。グリル庫１０内には、グリルバーナ（図示略）が設けられる。筐体２の前面において、グリル扉８の左側の上下には、化粧板６Ａ、６Ｂが取り付けられ、右側の上下には、化粧板６Ｃ、６Ｄが取り付けられる。
【００１７】
筐体２の前面から化粧板６Ａ〜６Ｄを取り外すと、左フロントパネル３０および右フロントパネル３５の前面が露出する。左フロントパネル３０および右フロントパネル３５は、それぞれ筐体２に固定される。左フロントパネル３０の前面中央部には、電池ケース（図示略）が設けられる。右フロントパネル３５の前面上部には、電源スイッチ１９が設けられる。化粧板６Ｃの前面上部には開口１８が設けられ、開口１８から電源スイッチ１９が前方に突出する。右フロントパネル３５の前面下部には、グリルバーナを操作する為のグリル操作部（図示略）が設けられる。グリル操作部は、右フロントパネル３５の前面下部に回動可能に支持される。左フロントパネル３０および右フロントパネル３５の前面下部には、それぞれ空気入口３１，３６が設けられる。空気入口３１，３６は、外部の空気を内側に取り入れる。
【００１８】
左フロントパネル３０には、空気入口３１との間に亘って上下方向に延びる略筒状の左ダクト部３２が設けられる。左ダクト部３２の内側には、冷却ファン（図示略）が取り付けられる。天板３が筐体２に組み付けられたとき、センサケース４０の左流入口４１は、左ダクト部３２に接続する。冷却ファンによって左フロントパネル３０の空気入口３１に取り込まれた冷却空気は、左ダクト部３２を介してセンサケース４０に供給される。右フロントパネル３５には、空気入口３６との間に亘って上下方向に延びる略筒状の右ダクト部３７が設けられる。右ダクト部３７の内側にも、冷却ファン（図示略）が取り付けられる。天板３が筐体２に組み付けられたとき、センサケース４０の右流入口４２は、右ダクト部３７に接続する。冷却ファンによって右フロントパネル３５の空気入口３６に取り込まれた冷却空気は、右ダクト部３７を介してセンサケース４０に供給される。センサケース４０に供給された冷却空気は、センサケース４０内の電装ユニット２５および複数のセンサ２０を冷却する。
【００１９】
天板３が筐体２に組み付けられたとき、排出口４３は、筐体２内の空気流路（図示略）に接続される。該空気流路は、グリル庫１０の上方を通って後方へ延び、天板３の排気口７に接続する。
【００２０】
次に、梱包部材１００について説明する。図２に示すように、梱包部材１００はコンロ１を梱包し、コンロ１に対する外部からの衝撃を吸収する。梱包部材１００によって梱包されたコンロ１は、外箱１１０の内部に収容された状態で、搬送および保管される。外箱１１０は、コンロ１よりもひとまわり大きな段ボール紙製の箱である。コンロ１は、筐体２と天板３とが分離された状態で、梱包部材１００によって梱包される。
【００２１】
筐体２は、グリル扉８を前側に向けた状態で、外箱１１０内下部の収容領域１１１に収容される。筐体２の周囲と外箱１１０内側との隙間には、発泡スチロール製等の緩衝材（図示略）が、適宜挿入される。
【００２２】
梱包部材１００は、付属品パッド１２０と天板パッド１５０を備える。付属品パッド１２０は平面視略直方体状であり、段ボール紙を折り畳んで組み立てられた箱状のパッドである。付属品パッド１２０は、外箱１１０に収容された筐体２の上側に載置され、筐体２の上部を保護する。付属品パッド１２０には、五徳２１、ＡＣアダプタ２２、乾電池２３等、コンロ１の付属品が収容される。
【００２３】
天板パッド１５０は、外箱１１０内で、付属品パッド１２０の上側に重ねて配置される。天板パッド１５０は、付属品パッド１２０と略同じ大きさの平面視略直方体状であり、段ボール紙を折り畳んで組み立てられた箱状のパッドである。天板パッド１５０には、上部に確保される天板領域１５１に天板３が収容される。天板パッド１５０は、天板３に対する外部からの衝撃を緩衝する。
【００２４】
図３、図４を参照し、付属品パッド１２０の詳細構造について説明する。付属品パッド１２０は、底板部１２１、前収容部１２２、後収容部１２３、左補強部１２４、右補強部１２５、中左収容部１２６、中右収容部１２７、五徳収容部１２８，１２９を備える。底板部１２１は、付属品パッド１２０の底面を構成する平面視略矩形状の板状部である。底板部１２１の中芯の目方向（強度の高い方向）は、前後方向である。
【００２５】
前収容部１２２は付属品パッド１２０の前端部を上側に折り曲げて形成され、左右方向に長い箱状を呈する。前収容部１２２には、前収容部１２２を左右に区分する仕切１３５が設けられる。仕切１３５の上面には、梱包時の前方を示す三角印１３６が切り抜きにより形成される。仕切１３５の左側にて上部を開口する第一スペース１４１は、左右略中央にて更に仕切られており、左バーナ４、右バーナ５のそれぞれの上部に載置されるバーナヘッド（図示略）が収容される。仕切１３５の右側にて上部を開口する第二スペース１４２には、筐体２正面の左右端部に取り付けられるサイドモール（図示略）が収容される。
【００２６】
後収容部１２３は、付属品パッド１２０の後端部を上側に折り曲げて形成され、左右方向に長い箱状を呈する。後収容部１２３には、略中央にて上部を開口する第三スペース１４３が設けられる。第三スペース１４３には、天板３の排気口７を覆う排気口カバー（図示略）が収容される。前収容部１２２と後収容部１２３がそれぞれ、底板部１２１の左右両端部間に延びることで、底板部１２１は左右方向において補強され、折れにくい。
【００２７】
底板部１２１の左右両側の端部には、前収容部１２２と後収容部１２３との間において前後方向に細長く延びる板状の左補強部１２４と右補強部１２５が設けられる。左補強部１２４、右補強部１２５は、それぞれ底板部１２１の左右両側の端部を内向きに折返し、底板部１２１の上面に重ねることで形成される。底板部１２１は前後方向に目方向を有し、更に、左補強部１２４、右補強部１２５が上面に重ねられ、前後方向に補強されることによって、折れにくい。
【００２８】
中左収容部１２６は、後収容部１２３の左前側に設けられ、左右方向に延びる箱状を呈する。中左収容部１２６は、他の段ボール紙を折り曲げて組み立てられ、底板部１２１の上面に固定される。中左収容部１２６には、上部を開口する第四スペース１４４が設けられる。第四スペース１４４には、コンロ１の設置時に左フロントパネル３０の電池ケースに挿入される動作試験用の乾電池２３が収容される。中右収容部１２７は、後収容部１２３の右前側に設けられ、左右方向に延びる箱状を呈する。中右収容部１２７は、他の段ボール紙を折り曲げて組み立てられ、底板部１２１の上面に固定される。中右収容部１２７には、上部を開口する第五スペース１４５が設けられる。第五スペース１４５には、コンロ１に外部電力を供給するＡＣアダプタ２２が収容される。ＡＣアダプタ２２からのびるケーブルは、中右収容部１２７の右前部のスリットから前方に引き出され、三角補強部１３４（後述）内に収容されることで、収容時にケーブルにかかる折り曲げ負荷が緩和される。
【００２９】
五徳収容部１２８，１２９は、前収容部１２２と後収容部１２３との間において前後方向に延び、中左収容部１２６と中右収容部１２７との間に配置され、底板部１２１の上面に固定される板状の追加板１３０に形成される。五徳収容部１２８は、追加板１３０の後端部において、追加板１３０の一部が切り抜かれると共に追加板１３０から上方に折り返された一対の折返し部として形成される。五徳収容部１２９は、追加板１３０の前端部において、追加板１３０の一部が切り抜かれると共に追加板１３０から上方に折り返された一対の折返し部として形成される。五徳収容部１２８は、左右方向において中左収容部１２６と中右収容部１２７の間の略中央に設けられる。五徳収容部１２９は、五徳収容部１２８よりも左寄りの位置に設けられる。五徳収容部１２８，１２９のそれぞれには、左バーナ４，右バーナ５の上方に鍋等の被加熱物を載置するための五徳２１が嵌めこまれる。また、五徳収容部１２９の略中央には、底板部１２１の一部が切り抜かれ、上方に折り返されて、追加板１３０に形成された開口部に挿入されることで、追加板１３０を底板部１２１の上面に固定する固定片１３１が設けられる。これにより、追加板１３０の五徳収容部１２９は、固定片１３１の位置で、底板部１２１に対して位置決めされる。コンロ１が梱包部材１００に収容されるとき、五徳収容部１２９には、天板パッド１５０に収容される天板３から下方に延びる排出口４３が配置される。
【００３０】
底板部１２１には、底板部１２１を上下方向に貫通する２つの穴部１３２，１３３が形成されている。穴部１３２，１３３は、コンロ１が梱包部材１００に収容されるとき、筐体２の上側に載置される付属品パッド１２０において、筐体２の左バーナ４，右バーナ５と上下方向においてそれぞれ、同じ位置に設けられる。左バーナ４および右バーナ５の上部は、筐体２の開口部よりも上方まで延びている。故に、付属品パッド１２０が筐体２の上側に載置された状態で、左バーナ４および右バーナ５の上部がそれぞれ、穴部１３２，１３３の内側に臨む。穴部１３２は円形に形成される。穴部１３３は、上下方向に長い矩形部分を含む形状で、右バーナ５の外径よりも大きく切り抜かれる。穴部１３３を切り抜いた切片は底板部１２１上で右方へ向けて三角形状の山折りに折り返され、右補強部１２５の左側で端部が底板部１２１に固定される。これにより、切片は底板部１２１の上面と共に、前後方向に延びる筒状の三角補強部１３４を形成する。穴部１３３は穴部１３２よりも大きく形成されるので、底板部１２１の強度は穴部１３３の周囲において、より低下するが、三角補強部１３４が穴部１３３の右縁に形成されるので、穴部１３３の周囲の強度が前後方向に補強される。また、三角補強部１３４の筒内部は、第六スペース１４６として構成される。第六スペース１４６には、中右収容部１２７の第五スペース１４５に収容されるＡＣアダプタ２２のケーブルを収容することができる。
【００３１】
次に、図５〜図７を参照し、天板パッド１５０の詳細構造について説明する。天板パッド１５０は、トレーユニット１６０、クッションユニット１７０および脚部ユニット１８０を有する。トレーユニット１６０、クッションユニット１７０および脚部ユニット１８０は、それぞれ段ボール紙を折り曲げ、または折り畳んで組み立てられる。トレーユニット１６０は、天板パッド１５０の底部を構成する。天板パッド１５０は、底板部１６１、前壁部１６２、後壁部１６３、左側壁部１６４、右側壁部１６５を備える。底板部１６１は、天板パッド１５０の底面を構成する平面視略矩形状の板状部であり、天板３の大きさよりも大きく形成される。底板部１６１の中芯の目方向（強度の高い方向）は、前後方向である。前壁部１６２は天板パッド１５０の前端部を上側に折り曲げて形成され、左右方向に長い箱状を呈する。前壁部１６２の上面には、梱包時の前方を示す三角印１６７が切り抜きにより形成される。
【００３２】
後壁部１６３、左側壁部１６４および右側壁部１６５は、それぞれ底板部１６１の後端部、左端部および右端部を上側に折り曲げて形成され、底板部１６１の後端、左端および右端から上方に延びる壁状を呈する。前壁部１６２、後壁部１６３、左側壁部１６４および右側壁部１６５は、それぞれの構成部分の一部を互いに折り込んでおり、それぞれが倒れないように互いに支持する。前壁部１６２、後壁部１６３、左側壁部１６４および右側壁部１６５は、底板部１６１から上方へ延びる高さがそれぞれ同じ高さである。また、天板パッド１５０は、右側壁部１６５の左側に、前後方向に延びる箱状を呈するスペーサ１６６を有する。スペーサ１６６の前後方向の端部は、それぞれ前壁部１６２と後壁部１６３に対向する。スペーサ１６６の高さは、前壁部１６２、後壁部１６３、左側壁部１６４および右側壁部１６５と略同じ高さである。天板パッド１５０内にスペーサ１６６が設けられることによって、天板パッド１５０内において底板部１６１の上面が露出する大きさは、天板３の大きさと略同じになる。
【００３３】
底板部１６１には、底板部１６１を上下方向に貫通する５つの穴部６１１，６１２，６１３，６１４，６１５が形成されている。穴部６１１，６１２は円形を呈し、コンロ１が梱包部材１００に収容されるとき、付属品パッド１２０上側に載置される天板パッド１５０において、筐体２の左バーナ４，右バーナ５と上下方向において、それぞれ同じ位置に設けられる。天板パッド１５０の穴部６１１，６１２の大きさは、付属品パッド１２０の穴部１３２，１３３の大きさよりも小さい。付属品パッド１２０および天板パッド１５０が筐体２の上側に載置された状態で、穴部１３２，１３３の内側には左バーナ４および右バーナ５の上部が臨み、穴部６１１，６１２の内側には左バーナ４と右バーナ５の中心部にて上方に突出するセンサが臨む。
【００３４】
穴部６１３は左右に長い矩形状を呈し、コンロ１が梱包部材１００に収容されるとき、天板パッド１５０において、天板３の左流入口４１および左固定板部４５と上下方向において対応する位置に設けられる。穴部６１４は左右に長い矩形状を呈し、コンロ１が梱包部材１００に収容されるとき、天板パッド１５０において、天板３の右流入口４２および右固定板部４６と上下方向において対応する位置に設けられる。穴部６１５は略正方形状を呈し、コンロ１が梱包部材１００に収容されるとき、天板パッド１５０において、天板３の排出口４３と上下方向において対応する位置に設けられる。
【００３５】
クッションユニット１７０は、平面視略矩形状の緩衝用の部材であり、前後方向に長い矩形の段ボール紙の前端部と後端部が所定の厚みを有するように折り曲げられて形成される。クッションユニット１７０は、トレーユニット１６０の底板部１６１の上面に固定される。クッションユニット１７０は、上固定板部１７１、前筒状部１７２、後筒状部１７３を有する。上固定板部１７１は平面視略矩形状の板状部であり、クッションユニット１７０の底面を構成し、天板３とほぼ同じ大きさに形成される。前筒状部１７２は、上固定板部１７１の前端部を上側に折り曲げて筒状に形成した部分であり、上下方向の高さがトレーユニット１６０の前壁部１６２の高さよりも低く形成される。天板パッド１５０に天板３が収容されるとき、前筒状部１７２の上面には天板３の前側の縁部が載置される。前筒状部１７２の前後方向の長さは、天板３の前側の縁部の大きさに対応し、左固定板部４５および右固定板部４６に干渉しない。後筒状部１７３は、上固定板部１７１の後端部を上側に折り曲げて筒状に形成した部分であり、前筒状部１７２と同じ高さに形成される。後筒状部１７３の前後方向の長さは、前筒状部１７２の前後方向の長さよりも長い。天板パッド１５０に天板３が収容されるとき、後筒状部１７３の上面には天板３の後端部が載置される。後筒状部１７３は上面の後部が切り抜かれており、天板３の後端部に設けられたグリル用の排気口７と干渉しない。
【００３６】
上固定板部１７１にも、上固定板部１７１を上下方向に貫通する５つの穴部７１１，７１２，７１３，７１４，７１５が形成されている。穴部７１１，７１２は円形を呈し、トレーユニット１６０の穴部６１１，６１２と上下方向に同じ位置に形成される。穴部７１３，７１４は、左右方向に長い矩形状を呈し、トレーユニット１６０の穴部６１３，６１４と上下方向に同じ位置に形成される。穴部７１５は略正方形状を呈し、トレーユニット１６０の穴部６１５と上下方向に同じ位置に形成される。前筒状部１７２および後筒状部１７３の高さは、天板３の左流入口４１、左固定板部４５、右流入口４２、右固定板部４６および排出口４３が下方に延びる長さよりも低い。故に天板３をクッションユニット１７０上に載置した場合、左流入口４１、左固定板部４５、右流入口４２、右固定板部４６および排出口４３は、クッションユニット１７０の穴部７１３〜７１５と、トレーユニット１６０の穴部６１３〜６１５を介してトレーユニット１６０の下面側に突出する（図７の一点鎖線参照）。
【００３７】
脚部ユニット１８０は、段ボール紙の左端部と右端部が所定の高さを有する筒状に折り曲げられて形成される。脚部ユニット１８０は、下固定板部１８１、左筒状部１８２、右筒状部１８３を有する。下固定板部１８１は、平面視略矩形状で左右方向に長い板状部であり、脚部ユニット１８０の左筒状部１８２と右筒状部１８３を保持する。下固定板部１８１がトレーユニット１６０の底板部１６１の底面に組み付けられることで、脚部ユニット１８０はトレーユニット１６０の下側に固定される。
【００３８】
下固定板部１８１は、下固定板部１８１を上下方向に貫通する穴部８１１，８１２を有する。穴部８１１，８１２は円形を呈し、トレーユニット１６０の穴部６１１，６１２と上下方向に同じ位置に形成される。また、下固定板部１８１において上下方向でトレーユニット１６０の穴部６１３〜６１５に干渉する部分は切り欠かれている。
【００３９】
左筒状部１８２は、下固定板部１８１の左端部を下側に向け、５個所で山折りに折り曲げて、筒状に形成した部分である。下固定板部１８１の最も左端の端部１８４は、左筒状部１８２の筒内において斜め方向に折り曲げた状態で配置され、対向する角部間を支持することで、左筒状部１８２の強度を補強する。右筒状部１８３は、下固定板部１８１の右端部を下側に向け、５個所で山折りに折り曲げて、筒状に形成した部分である。下固定板部１８１の最も右端の端部１８５は、右筒状部１８３の筒内において斜め方向に折り曲げた状態で配置され、対向する角部間を支持することで、右筒状部１８３の強度を補強する。
【００４０】
図７に示すように、左筒状部１８２と右筒状部１８３は、上下方向において同じ高さＨに形成される。天板パッド１５０に天板３を収容し、クッションユニット１７０上に載置したとき、左流入口４１、左固定板部４５、右流入口４２、右固定板部４６および排出口４３は、穴部６１３〜６１５および穴部７１３〜７１５を介し、トレーユニット１６０の下面側に突出する。左流入口４１、左固定板部４５、右流入口４２、右固定板部４６、排出口４３のうちで、最も下方に突出する部位が、トレーユニット１６０の下面から突出する長さをＫとしたとき、左筒状部１８２および右筒状部１８３の高さＨは、長さＫよりも大きい。コンロ１の開梱時、天板パッド１５０に天板３が収容された状態で、天板パッド１５０が外箱１１０から取り出され、平らな部分に平置きされる場合がある。このとき、平らな面には、トレーユニット１６０の下面から高さＨ分突出する左筒状部１８２および右筒状部１８３が接する。トレーユニット１６０の下面から突出する長さが高さＨよりも小さな長さＫ以下である左流入口４１、左固定板部４５、右流入口４２、右固定板部４６および排出口４３は、平らな面に接触しない。
【００４１】
図８に示すように、コンロ１を梱包するにあたって、付属品パッド１２０上には、天板３を収容した天板パッド１５０が重ねて載置される。付属品パッド１２０の底板部１２１上には、第一〜第六スペース１４１〜１４６に収容されない五徳２１を収容する五徳収容部１２８，１２９と、左バーナ４，右バーナ５との干渉を避ける穴部１３２，１３３とが設けられる。五徳収容部１２８，１２９は、底板部１２１上において穴部１３２，１３３を避けた位置に設けられる。一方、天板パッド１５０の底板部１６１から下方に突出する左流入口４１、左固定板部４５、右流入口４２、右固定板部４６および排出口４３は、付属品パッド１２０の底板部１２１上に位置する。五徳２１は付属品の中でも、収容にあたって大きな面積を要する。このため、底板部１２１上における五徳収容部１２８，１２９の配置によっては、左流入口４１、左固定板部４５、右流入口４２、右固定板部４６および排出口４３のいずれかと干渉する可能性がある。
【００４２】
故に付属品パッド１２０では、左流入口４１、左固定板部４５、右流入口４２、右固定板部４６および排出口４３が、底板部１２１の前部側に位置するので、五徳収容部１２８の形成位置を、底板部１２１の後部側において、穴部１３２と穴部１３３との間に確保する。五徳収容部１２９は、底板部１２１の前部側に形成する。五徳２１は環状を呈する。そこで、五徳収容部１２９を、天板パッド１５０から排出口４３が突出される穴部６１５の形成位置と上下方向において重なる位置に形成する。この構成により、五徳収容部１２９において排出口４３を五徳２１の環内に配置することができるので、底板部１２１上において排出口４３と五徳２１とが干渉しない。仮に、排出口４３を五徳２１の環内に配置せず、五徳収容部１２９の形成位置が、排出口４３と五徳２１との干渉が避けられない構成である場合、底板部１６１から排出口４３が突出しなくて済むように、天板パッド１５０の厚みをより厚く形成する必要がある。
【００４３】
以上説明したように、付属品パッド１２０は外箱１１０の内部で筐体２の上に配置されるため、底板部１２１における五徳の五徳収容部１２８，１２９の形成位置は、左バーナ４，右バーナ５と干渉しないように、穴部１３２，１３３を避けて設けられる。更に、天板パッド１５０を付属品パッド１２０の上に重ねて配置した場合、天板３の左流入口４１，右流入口４２，排出口４３は、穴部６１３〜６１５を介して付属品パッド１２０の底板部１２１上に位置する。そこで、付属品パッド１２０の五徳収容部１２９を、穴部６１５の形成位置に設けた。五徳収容部１２９に保持する五徳２１は環状を呈する。故に、排出口４３を五徳２１の環内に配置することができる。これにより、五徳２１との干渉を避けて排出口４３が底板部１２１から離れるように天板パッド１５０の厚みを厚く形成する必要がない。よって、外箱１１０の高さをより高くする必要がないので、製品を保存する倉庫の保存スペースを圧迫したり、配送コストが高くなったりすることがない。また、底板部１２１の限られたスペースにおいて効率よく、五徳２１の五徳収容部１２８，１２９と左バーナ４，右バーナ５の穴部１３２，１３３を形成することができる。
【００４４】
なお、本発明は上記実施形態に限定されるものではなく、種々の変更が可能である。五徳収容部１２９だけに限らず、五徳収容部１２８も、底板部１２１上において、五徳２１の環内に左流入口４１または右流入口４２が干渉することなく配置される位置に形成してもよい。
【００４５】
上記説明において、左バーナ４および右バーナ５が本発明の「コンロバーナ」の一例である。センサ２０、電装ユニット２５が本発明の「電装部品」の一例である。左流入口４１、右流入口４２、排出口４３が本発明の「流通口」の一例である。センサケース４０が本発明の「冷却部」の一例である。外箱１１０が本発明の「梱包本部材」の一例である。穴部１３２，１３３が本発明の「配置穴」の一例である。五徳収容部１２８，１２８が本発明の「保持部」の一例である。底板部１２１が本発明の「第一平面部」の一例である。付属品パッド１２０が「下部収納部材」の一例である。穴部６１３〜６１５が本発明の「貫通穴」の一例である。底板部１６１が本発明の「第二平面部」の一例である。天板パッド１５０が「状部収納部材」の一例である。
【符号の説明】
【００４６】
１                                      コンロ
２                                      筐体
３                                      天板
４                                      左バーナ
５                                      右バーナ
２０                                    センサ
２１                                    五徳
２５                                    電装ユニット
４０                                    センサケース
４１                                    左流入口
４２                                    右流入口
４３                                    排出口
１００                                  梱包部材
１１０                                  外箱
１１１                                  収容領域
１２０                                  付属品パッド
１２１                                  底板部
１２８，１２９                          五徳収容部
１３２，１３３，６１３〜６１５          穴部
１５０                                  天板パッド
１５１                                  天板領域
１６１                                  底板部
【図１】
2020196468.tif 000003
【図２】
2020196468.tif 000004
【図３】
2020196468.tif 000005
【図４】
2020196468.tif 000006
【図５】
2020196468.tif 000007
【図６】
2020196468.tif 000008
【図７】
2020196468.tif 000009
【図８】
2020196468.tif 000010